(57)【要約】      （修正有）【課題】大掛かりな装置を必要とせず、簡易に、定量的な塗布膜を高い再現性で得ることができ、且つ、指紋による塗布時の摩擦を再現することで、より実際の化粧膜に近い状態を得ることができる化粧料塗布具の提供。【解決手段】所定の長さの中空筒状に形成された持ち手部１と、該持ち手部の中空部に挿通され、その両端の一部が持ち手部外へと突出するとともに、持ち手部に対して軸方向に一定幅で摺動可能に取り付けられたシャフト２と、該シャフトの先端に取り付けられ、その先端部に塗布面３１３を備えた塗布部３と、該シャフトの一部に着脱可能に取り付けられた分銅４とを備えた化粧料塗布具。【選択図】図１
2019076698.tif 000002
【特許請求の範囲】
【請求項１】
所定の長さの中空筒状に形成された持ち手部と、該持ち手部の中空部に挿通され、その両端の一部が持ち手部外へと突出するとともに、持ち手部に対して軸方向に一定幅で摺動可能に取り付けられたシャフトと、該シャフトの先端に取り付けられ、その先端部に塗布面を備えた塗布部と、該シャフトの一部に着脱可能に取り付けられた分銅とを備えた化粧料塗布具。
【請求項２】
前記塗布部の塗布面には人の指紋パターンを模した溝部が形成されていることを特徴とする請求項１に記載の化粧料塗布具。
【請求項３】
一つないし複数の前記分銅が、前記シャフトの後端部側に着脱可能に取り付けられたことを特徴とする請求項１または２に記載の化粧料塗布具。
【請求項４】
前記シャフトは、持ち手部に対し軸回転不能に取り付けられていることを特徴とする請求項１ないし３のいずれか１項に記載の化粧料塗布具。    
【請求項５】
前記塗布部は、前記シャフトの先端に取り付けるための基部と、該基部に対して取り付けられた先端チップとからなることを特徴とする請求項１ないし４のいずれか１項に記載の化粧料塗布具。
【請求項６】
前記先端チップは、平面視で正方形に形成されている台座部より下方へ略椀状に突出する膨出部を備え、さらに、その先端部に平面状に形成された塗布面を備えることを特徴とする請求項５に記載の化粧料塗布具。
【発明の詳細な説明】
【技術分野】
【０００１】
本発明は、化粧料を常に一定の荷重で塗布することが可能な化粧料塗布具に関する。
【背景技術】
【０００２】
近年の化粧料業界において、ロドデノールによる白斑症状などが認知されるのに伴い、化粧料の連用試験や、重ね付け試験等への関心が高まっているが、化粧料中の有効成分の経皮吸収を測定する試験では、被験物質である化粧料を指で塗布し、あるいは、ピペットの先やスパチュラ等で塗りひろげることが広く行われている。
【０００３】
しかしながら、これらの従来の塗布方法によると、常に一定の荷重で塗布することが困難なため、定量的な塗布膜を高い再現性で得ることが困難であった。
【０００４】
その点、特許文献１には、スティック状化粧料を、水平方向に往復運動する装置に取り付け、一定圧力をかけつつ、塗布時間間隔を段々と広げながら被塗布体に塗布する方法が開示されている。
【０００５】
しかしながら、かかるスティック状化粧料の評価方法を実施するには、まず、スティック状化粧料を、水平方向に運動する装置に取り付け、一定圧力をかけつつ塗布することのできる大掛かりな装置を準備することが必要であった。
【０００６】
さらに、使用時に指の先端で塗布する化粧料の場合、実験的にピペット先端などにより塗布する方法では、指による摩擦が再現できず、また指で塗布する方法でも、サンプルを塗布する際はゴム手袋などで手を保護しているため、指紋による摩擦を再現できず、実際の化粧膜に近い状態を得ることが困難であった。
【先行技術文献】
【特許文献】
【０００７】
【特許文献１】特開２０１１−９９８１１
【発明の概要】
【発明が解決しようとする課題】
【０００８】
そこで本発明は、従来の化粧料塗布具のかかる欠点を克服し、大掛かりな装置を必要とせず、簡易に定量的な塗布膜を高い再現性で得ることができ、且つ、指紋による塗布時の摩擦を再現することで、より実際の化粧膜に近い状態を得ることができる化粧料塗布具の提供を課題とするものである。
【課題を解決するための手段】
【０００９】
本発明は、上記課題を解決するものであり、所定の長さの中空筒状に形成された持ち手部と、該持ち手部の中空部に挿通され、その両端の一部が持ち手部外へと突出するとともに、持ち手部に対して軸方向に一定幅で摺動可能に取り付けられたシャフトと、該シャフトの先端に取り付けられ、その先端部に塗布面を備えた塗布部と、該シャフトの一部に着脱可能に取り付けられた分銅とを備えた化粧料塗布具である。
【００１０】
また本発明は、前記塗布部の塗布面に人の指紋パターンを模した溝部が形成されていることを特徴とする化粧料塗布具である。
【００１１】
また本発明は、一つないし複数の前記分銅が、前記シャフトに脱着可能に取り付けられたことを特徴とする化粧料塗布具である。  
【発明の効果】
【００１２】
本発明にかかる化粧料塗布具は、持ち手部に対して軸方向に一定幅で摺動可能に取り付けられたシャフトに分銅を取り付けることにより、シャフトの先端に取り付けられた塗布部に一定荷重をかけた状態で化粧料を塗布することが可能となり、定量的な塗布膜を高い再現性で得ることができる。
【００１３】
また、本発明にかかる化粧料塗布具で、前記塗布部の塗布面に人の指紋パターンを模した溝部が形成されたものは、指紋による塗布時の摩擦を再現することで、より実際の化粧膜に近い状態を得ることができる。
【００１４】
また、本発明にかかる化粧料塗布具で、一つないし複数の前記分銅が、前記シャフトに脱着可能に取り付けられたものは、分銅の数により荷重を調整することができる。  
【図面の簡単な説明】
【００１５】
【図１】（ａ）本発明に係る化粧料塗布具の正面図、（ｂ）同平面図、（ｃ）同底面図
【図２】（ａ）本発明に係る化粧料塗布具の先端チップの正面図、（ｂ）同底面図
【図３】（ａ）本発明に係る化粧料塗布具の異なる実施態様における先端チップの正面図、（ｂ）同底面図
【図４】本発明に係る化粧料塗布具の異なる実施態様における分銅の平面図。
【発明を実施するための形態】
【００１６】
以下、本発明の化粧料塗布具の実施態様を、図面に基づいて具体的に説明する。なお、本発明はこれら実施態様に何ら制約されるものではない。
【００１７】
本発明の化粧料塗布具は、所定の長さの中空筒状に形成された持ち手部１と、該持ち手部１に対して軸方向に一定幅で摺動可能に取り付けられた棒状のシャフト２と、該シャフト２の先端に取り付けられた塗布部３と、該シャフト２の一部に着脱可能に取り付けられた分銅４とを備える。以下、各部材について詳述する。
【００１８】
持ち手部１は、軸方向に穿設された中空部を有する所定の長さの筒状に形成されており、本実施態様では、平面視で角が斜めに切り落とされた角柱状に形成されている。なお、かかる持ち手１の形状に関しては、その他の形状、例えば円柱状としても良いが、使用時に簡便に化粧料塗布具の正面が認識しやすい角柱状とすることが好ましい。また、持ち手部１の寸法は任意に決めることができるが、指で保持しやすいサイズ、具体的には太さ１０〜２０ｍｍ、全長６０〜１００ｍｍ程度で形成することが好ましい。
【００１９】
持ち手部１の中空部には、少なくとも持ち手部１よりも長い棒状に形成されたシャフト２が挿通されており、図１に示すように、シャフト２の両端側は持ち手部１の外側へ突出するように取り付けられている。シャフト２の寸法は任意に決めることができるが、少なくともその全長は持ち手部１の全長よりも長く、且つ、その両端側に塗布部３と分銅４とを取り付けた状態で、軸方向に一定幅で摺動できるだけの余裕があることが好ましく、具体的には全長１５０ｍｍ〜２００ｍｍ程度であることが好ましい。  
【００２０】
シャフト２は、持ち手部１に対し軸方向に一定幅で摺動可能に、且つ、持ち手部１に対して軸回転不能に取り付けられている。そして、軸方向の摺動については持ち手部１とシャフト２の間の摩擦抵抗を極力減らすことが望ましく、このように、持ち手部１とシャフト２の間の摩擦抵抗を減らすとともに、シャフト２の軸回転を防止する手段としては、回転防止機構を備えたボールスプライン、ボールスライダー、ボールブッシュ、リニアブッシュ等の公知の技術を採用することができる。
【００２１】
シャフト２の先端には塗布部３が設けられている。本実施態様における塗布部３は、シャフト２の先端に塗布部３を取り付けるための基部３２と、該基部３２に対して取り付けられた先端チップ３１とからなる。基部３２は、シャフト２の先端を挿入可能な円筒状に形成された本体の下端に、平面視で正方形の板状部を備え、シャフト２を本体へ挿入した状態で固定するためのネジ部３２１を備える。
【００２２】
基部３２の板状部の底面には、先端チップ３１が取り付けられている。図２に示すように、先端チップ３１は、基部３２の板状部と平面視で略同一の正方形に形成されている台座部３１１と、該台座部３１１より下方へ略椀状に突出する膨出部３１２を備え、さらに、その先端部には平面状に形成された塗布面３１３を備える。なお、本実施態様のように、先端チップ３１の台座部３１１を正方形に形成することにより、使用時に化粧料塗布具の正面が認識しやすくなるため、好ましい。
【００２３】
膨出部３１２の形状は特に本実施態様のものに限定されないが、本実施態様のように略椀状に形成することにより、塗布時に塗布面３１３と膨出部３１２の角部により化粧料が掻き取られることもなく、塗布面３１３の下へ適切に化粧料が取り込まれるため、好ましい。
【００２４】
塗布面３１３は、底面視で略円形に形成することが好ましく、その直径は４〜１５ｍｍが好ましい。さらに、塗布面３１３の表面には、人の指紋パターンを模した溝部３１４が複数形成されている。この溝部３１４は、人の指で化粧料を塗布した場合の摩擦抵抗を再現できる幾何学パターンであればよく、本実施態様では、複数の直線状の溝が平行して設けられている。
【００２５】
先端チップ３１は、指による塗布を再現するために弾性材料により形成することが好ましく、具体的には、天然ゴム、合成ゴム、シリコーンゴム、ウレタンゴム、フッ素ゴム等が挙げられるが、これらに限定されるものではない。さらに、その用途から耐薬品性に優れたものが好ましい。
【００２６】
また、先端チップ３１は複数種類を用意し、試験内容に応じて交換可能としても良い。例えば、図２、３は、交換可能な２つの先端チップ３、３’を示す。これらの先端チップは、塗布面３１３、３１３’の直径が異なっており、具体的には、先端チップ３の塗布面３１３はφ５ｍｍ、先端チップ３’の塗布面３１３’はφ９ｍｍに形成されている。なお、先端チップ３１を交換可能とする場合、先端チップ３１の台座３１１部分を、基部３２の板状部に対して、両面テープやその他の着脱可能な手段で固定すればよい。なお、本実施態様では、先端チップ３１は基部３２を介してシャフト２に取り付けられているが、かかる基部３２を介することなく先端チップ３１を直接シャフト２に取り付けてもよく、さらに、先端チップ３１と基部３２を一体に形成し、それらの一体に形成した塗布部３をシャフト２に固定、または、着脱可能に取り付けてもよい。
【００２７】
また、シャフト２の後端側には、一つないし複数の分銅４が着脱可能に設けられている。本実施態様の分銅４は、その中心にシャフト２を挿通可能な穴部４１を有する環状に形成されており、シャフト２を挿通した状態で分銅４をシャフト２に対して固定するためのネジ部４２を備える。
【００２８】
かかる分銅４は、シャフト２に対して一つないし複数個取り付けることにより荷重を調整することができる。例えば、分銅４をひとつ当たり２０ｇとした場合、分銅４の数ｎに応じて、２０ｇ×ｎの荷重をかけることができる。なお、厳密には、分銅４×ｎの荷重に加え、シャフト２及びシャフト２に付属する取り付けられる塗布部３の重さも荷重される。
【００２９】
持ち手部１は、シャフト２に取り付けられた塗布部３と分銅４の間において、軸方向に摺動可能であるが、本実施態様では、基部３２の上端側に取り付けられた摺動規制手段５と、分銅４の下端側に取り付けられた摺動規制手段６の間において、摺動することができる。すなわち、持ち手部１に対してシャフト２の摺動可能な幅は、摺動規制手段５と摺動規制手段６の間の距離から持ち手部１の全長を差し引いた距離に制限される。かかる摺動規制手段５、６としては、例えば、シャフト２の任意の位置に固定されたＯリング等を好適に使用することができる。なお、本実施態様では、摺動規制手段５は基部３２に対して、また、摺動規制手段６は分銅４に対して接するように設けられているが、必ずしもこの位置に設ける必要はなく、摺動規制手段５、６はそれぞれ基部３２と分銅４から離れたシャフト２の任意の部分に設けてもよい。
【００３０】
さらに、本実施態様の分銅４はシャフト２の後端より着脱されるが、分銅４の取付位置はこの場所に限らず、塗布部３を設けた先端側に着脱可能としても良く、具体的には、本実施態様における基部３２と持ち手部１の間のシャフト２に取り付けても良い。その場合、シャフト２の後端側には、摺動規制手段６などのシャフト２の先端側への摺動を規制する手段のみ設ければよい。  
【００３１】
分銅４をシャフト２の先端側へ着脱する場合は、シャフト２の先端に設けた塗布部３が邪魔となるため、シャフト２の端部を穴部４１に挿通することができない。したがって、シャフト２の途中から着脱可能とする必要があり、図４の例に示すように、分銅４の周壁から中心までをＵ字形の溝状に切り欠いて、かかるＵ字溝４３を通して分銅４の中心にシャフト２を移動させ、固定してもよい。このように、分銅４を塗布部３と同じようにシャフト２の先端側へ取り付けることにより、使用時に重心が低くなり安定する。
【００３２】
以下に、本発明にかかる化粧料塗布具の使用方法について説明する。まず、シャフト２に分銅４をひとつないし複数取り付け、任意の荷重を設定する。次に、塗布部３の塗布面３１３に化粧料を付着させ、持ち手部１を保持してなるべく垂直の姿勢を維持したまま、塗布面３を被塗布面へ載置する。
【００３３】
その状態で、持ち手部１が上下の摺動規制手段５、６のいずれとも接しない状態の高さになるように調整する。このように、持ち手部１が摺動規制手段５、６のいずれとも接しない状態において、塗布部３の塗布面３１３には、分銅４、シャフト２、および塗布部３の重さが適切に荷重された状態となる。
【００３４】
そして、持ち手部１を垂直且つ、摺動規制手段５、６のいずれとも接しない状態で被塗布面に対して持ち手部１を水平に往復移動させ、化粧料を塗布する。なお、持ち手部１の移動方向は、塗布面３１３に設けられた溝部３１４が本実施態様のように直線状に形成されている場合、かかる直線とは垂直方向に往復移動させる。すなわち、図１（ｃ）では溝部３１４は縦方向に形成されているため、持ち手部１を移動させる方向は、図の左右方向となる。なお、溝部３１４の向きを移動方向と垂直に調整するためには、角柱の持ち手部１や平面視で正方形の先端チップ３１の台座部３１１の向きを調整すればよい。
【００３５】
化粧料を塗布する際、持ち手部１を往復移動させる際に手が上下にブレることがあっても、かかるブレは持ち手部１がシャフト２に対して上下に摺動することで吸収されるため、塗布面３１３にかかる荷重は一定のままである。また、被塗布面に凹凸がある場合も、かかる凹凸に追従してシャフト２が上下に摺動するため、塗布面３１３にかかる荷重は一定のままである。
【００３６】
そして、塗布面３１３に設けられた溝部３１４が被塗布面との間に摩擦を生じさせるため、これにより、指で塗布した際の指紋による摩擦を再現することができる。
【産業上の利用可能性】
【００３７】
本発明の化粧料塗布具は、化粧水、乳液、クリーム、美容液、リキッドファンデーション、クリーミーファンデーション、ＢＢクリーム等の液状化粧料の塗布具として有効であるが、被塗布物はこれに限定されず、液状で塗布されうるものであればよく、例えば、医薬品、医薬部外品、塗料等にも好適に利用することができる。  
【符号の説明】
【００３８】
１  …  …  筒体
２  …  …  シャフト
３  …  …  塗布部
４  …  …  分銅
５  …  …  摺動規制手段
６  …  …  摺動規制手段
３１  …  …  先端チップ
３１’  …  …  先端チップ
３２  …  …  基部
４１  …  …  穴部
４２  …  …  ネジ部
４３  …  …  Ｕ字溝
３１１  …  …  台座部
３１２  …  …  膨出部
３１３  …  …  塗布面
３１４  …  …  溝部
３１１’  …  …  台座部
３１２’  …  …  膨出部
３１３’  …  …  塗布面
３１４’  …  …  溝部
３２１  …  …  ネジ部    
【図１】
2019076698.tif 000003
【図２】
2019076698.tif 000004
【図３】
2019076698.tif 000005
【図４】
2019076698.tif 000006